(57)【要約】【課題】  ディスク再生速度の高速化に伴ってＣＡＶ方式で再生する場合にも、効果的にウォブル信号を再生できるウォブル信号再生装置及び方法を提供する。【解決手段】  光ディスクからピックアップされた信号を用いてプッシュプル信号を出力する演算器と、プッシュプル信号を、第１の制御信号によってバンドパスフィルターリングし、第２の制御信号によってローパスフィルターリングして、ウォブル信号を出力するウォブルＢＰＦ部と、ウォブル信号に基づき、チャネルクロック信号を発生するウォブルＰＬＬ部とを含み、第１の制御信号及び第２の制御信号は、チャネルクロック信号に対応し、ウォブルＢＰＦ部は、第１の制御信号によって可変された中心周波数でバンドパスフィルターリングし、第２の制御信号によって可変されたカットオフ周波数でローパスフィルターリングする。【選択図】      図４
2005209334.tif 000002
【特許請求の範囲】
【請求項１】
光ディスクからピックアップされた信号を用いてプッシュプル(Ｐｕｓｈ-ｐｕｌｌ)信号を出力する演算器と、
前記プッシュプル信号を、第１の制御信号によってバンドパスフィルターリングし、第２の制御信号によってローパスフィルターリングして、ウォブル信号を出力するウォブルＢＰＦ(Ｂａｎｄ Ｐａｓｓ Ｆｉｌｔｅｒ)部と、
前記ウォブル信号に基づき、チャネルクロック信号を発生するウォブルＰＬＬ(Ｐｈａｓｅ Ｌｏｃｋ Ｌｏｏｐ)部と、
を含み、前記第１の制御信号及び第２の制御信号は、前記チャネルクロック信号に対応し、前記ウォブルＢＰＦ部は、前記第１の制御信号によって可変された中心周波数でバンドパスフィルターリングし、前記第２の制御信号によって可変されたカットオフ周波数でローパスフィルターリングすることを特徴とする、ウォブル信号再生装置。
【請求項２】
前記ウォブルＢＰＦ部は、
前記第１の制御信号をスイッチング周波数(ｆｓｗ)とし、前記スイッチング周波数(ｆｓｗ)によって前記中心周波数を可変させて、バンドパスフィルターリングするスイッチキャパシタフィルタ(Ｓｗｉｔｃｈｅｄ Ｃａｐａｃｉｔｏｒ Ｆｉｌｔｅｒ：ＳＣＦ)を持つバンドパスフィルタと、
前記第２の制御信号を制御電圧信号(Ｖｃｔｒｌ)とし、前記制御電圧信号(Ｖｃｔｒｌ)によって前記カットオフ周波数を可変させて、ローパスフィルターリングするｇｍ-Ｃローパスフィルタを持つスムージングフィルタとを含むことを特徴とする、請求項１に記載のウォブル信号再生装置。
【請求項３】
前記ウォブルＰＬＬ部は、
前記ウォブル信号に対応するウォブルクロック信号と前記チャネルクロック信号とが、所定倍分周されたクロック信号間の位相差に対応する信号を出力する位相検波器と、
前記位相検波器の出力信号をローパスフィルターリングするローパスフィルタと、
前記ローパスフィルターリングした信号によって発振周波数が制御され、前記チャネルクロック信号を出力する電圧制御発振器と、
を含み、前記第１の制御信号は、前記電圧制御発振器の出力信号に基づいて発生し、前記第２の制御信号は、前記電圧制御発振器の入力信号に基づいて発生することを特徴とする、請求項１に記載のウォブル信号再生装置。
【請求項４】
前記ウォブルＢＰＦ部から出力される前記ウォブル信号のゲインを増幅させるための自動ゲインコントローラーと、
前記自動ゲインコントローラーの出力信号を量子化して、ウォブルクロック信号を出力する比較器とを更に含むことを特徴とする、請求項１に記載のウォブル信号再生装置。
【請求項５】
光ディスクをウォブリングして、ピックアップされた信号を用いてプッシュプル信号を出力する演算器と、
前記プッシュプル信号を、第１の制御信号によってバンドパスフィルターリングし、第２の制御信号によってローパスフィルターリングして、ウォブル信号を出力するウォブルＢＰＦ部と、
前記ウォブル信号に基づき、チャネルクロック信号を発生するウォブルＰＬＬ部と、
前記チャネルクロック信号に所定倍比例するクロック信号を発生し、前記所定倍のクロック信号に対応する前記第１の制御信号を発生する第１の制御信号発生部と、
前記チャネルクロック信号に対応する前記第２の制御信号を発生する第２の制御信号発生部と、
を含むことを特徴とする、ウォブル信号再生装置。
【請求項６】
前記ウォブルＢＰＦ部は、前記第１の制御信号をスイッチング周波数(ｆｓｗ)とし、前記第１の制御信号によって前記中心周波数を可変させて、バンドパスフィルターリングするスイッチキャパシタフィルタ(ＳＣＦ)を持つバンドパスフィルタと、
前記第２の制御信号を制御電圧信号(Ｖｃｔｒｌ)とし、前記第２の制御信号によって前記カットオフ周波数を可変させて、ローパスフィルターリングするｇｍ-Ｃローパスフィルタを持つスムージングフィルタと、
含むことを特徴とする、請求項５に記載のウォブル信号再生装置。
【請求項７】
前記ウォブルＰＬＬ部は、
前記ウォブル信号に対応するウォブルクロック信号と前記チャネルクロック信号とが、所定倍分周されたクロック信号間の位相差に対応する信号を出力する位相検波器と、
前記位相検波器の出力信号をローパスフィルターリングするローパスフィルタと、
前記ローパスフィルターリングした信号によって発振周波数を制御して前記チャネルクロック信号を出力する電圧制御発振器と、
を含み、前記第１の制御信号は、前記電圧制御発振器の出力信号に基づいて発生し、前記第２の制御信号は、前記電圧制御発振器の入力信号に基づいて発生することを特徴とする、請求項５に記載のウォブル信号再生装置。
【請求項８】
前記ウォブルＢＰＦ部から出力される前記ウォブル信号のゲインを増幅させるための自動ゲインコントローラーと、
前記自動ゲインコントローラーの出力信号を量子化して、ウォブルクロック信号を出力する比較器と、
を更に含むことを特徴とする、請求項５に記載のウォブル信号再生装置。
【請求項９】
光ディスクからピックアップされた信号を用いてプッシュプル信号を出力するステップと、
第１の制御信号によって前記プッシュプル信号をバンドパスフィルターリングするステップと、
第２の制御信号によって前記バンドパスフィルターリングしたプッシュプル信号をローパスフィルターリングしてウォブル信号を出力するステップと、
前記ウォブル信号に基づいてチャネルクロック信号を発生するステップと、
を含み、前記第１及び第２の制御信号は、前記チャネルクロック信号に対応することを特徴とする、ウォブル信号生成方法。
【請求項１０】
前記第１の制御信号のスイッチング周波数によって中心周波数を可変させるステップと、
前記可変された中心周波数でバンドパスフィルターリングするステップと、
前記第２の制御信号の制御電圧信号によってカットオフ周波数を可変させるステップと、
前記可変されたカットオフ周波数でローパスフィルターリングするステップと、
を更に含むことを特徴とする、請求項９に記載のウォブル信号生成方法。
【請求項１１】
前記チャネルクロック信号を生成するステップは、
前記ウォブル信号に対応するウォブルクロック信号と前記チャネルクロック信号とが、所定倍分周されたクロック信号間の位相差に対応する信号を出力するステップと、
前記出力信号をローパスフィルターリングするステップと、
前記ローパスフィルターリングした出力信号によって制御される発振周波数で前記チャネルクロック信号を出力し、前記出力信号によって前記第１の制御信号を生成し、前記ローパスフィルターリングした出力信号によって前記第２の制御信号を生成するステップと、
を更に含むことを特徴とする、請求項９に記載のウォブル信号生成方法。
【請求項１２】
前記ウォブル信号のゲインを増幅させるステップと、
前記増幅されたゲインを持つ前記ウォブル信号を量子化して、ウォブルクロック信号を出力するステップと、
を更に含むことを特徴とする、請求項９に記載のウォブル信号生成方法。
【請求項１３】
光ディスクからピックアップされた信号を用いてプッシュプル信号を出力するステップと、
第１の制御信号によって前記プッシュプル信号をバンドパスフィルターリングするステップと、
第２の制御信号によって前記バンドパスフィルターリングしたプッシュプル信号をローパスフィルターリングするステップと、
前記ウォブル信号を出力するステップと、
前記ウォブル信号に基づいてチャネルクロック信号を発生するステップと、
前記チャネルクロック信号に所定倍比例するクロック信号を生成するステップと、
前記チャネルクロック信号に比例する前記クロック信号に対応する前記第１の制御信号を生成するステップと、
前記チャネルクロック信号に対応する前記第２の制御信号を生成するステップと、
を含むことを特徴とする、ウォブル信号再生方法。
【請求項１４】
前記バンドパスフィルターリングするステップは、
前記第１の制御信号のスイッチング周波数によって中心周波数を可変させるステップと、
前記可変された中心周波数でバンドパスフィルターリングするステップと、
前記第２の制御信号の制御電圧信号によってカットオフ周波数を可変させるステップと、
前記可変されたカットオフ周波数でローパスフィルターリングするステップと、
を更に含むことを特徴とする、請求項１３に記載のウォブル信号再生方法。
【請求項１５】
前記チャネルクロック信号を生成するステップは、
前記ウォブル信号に対応するウォブルクロック信号と前記チャネルクロック信号とが、所定倍分周されたクロック信号間の位相差に対応する信号を出力するステップと、
前記出力信号をローパスフィルターリングするステップと、
前記ローパスフィルターリングした出力信号によって制御される発振周波数で前記チャネルクロック信号を出力し、前記チャネルクロック信号に比例する前記クロック信号に対応する前記第１の制御信号を生成し、前記チャネルクロック信号に対応する前記第２の制御信号を生成するステップと、
を更に含むことを特徴とする、請求項１３に記載のウォブル信号再生方法。
【請求項１６】
前記ウォブル信号のゲインを増幅させるステップと、
前記増幅されたゲインを持つ前記ウォブル信号を量子化するステップと、
前記ウォブルクロック信号を出力するステップと、
を更に含むことを特徴とする、請求項１３に記載のウォブル信号再生方法。
【発明の詳細な説明】
【技術分野】
【０００１】
本発明は光記録再生装置に関し、より詳しくは、記録可能な光ディスクに記録されているウォブル信号を再生するためのウォブル信号再生装置及び方法に関する。
【背景技術】
【０００２】
光ディスクには、ＣＤ-ＲＯＭ/ＤＶＤ-ＲＯＭのような読み出し専用ディスクの以外に、ＣＤ-Ｒ/ＤＶＤ-Ｒなどの１回記録用ディスクや、ＣＤ-ＲＷ/ＤＶＤ-ＲＷ/ＤＶＤ-ＲＡＭなどの書き換え可能なディスク等がある。このような書き換え用ディスクは、従来の読み出し専用ディスクとは異なり、再生信号からチャネルクロック信号が生成できない。よって、ディスクに情報を記録するグルーブ(Ｇｒｏｏｖｅ)を一定周期間の間にウォブリング(Ｗｏｂｂｌｉｎｇ)させ、この信号を検出して記録時に必要なチャネルクロック信号を発生させる。
【０００３】
また、ＣＤ/ＤＶＤの再生及び記録方式は、スピンドルモータの制御方法によって等線速度(ＣＬＶ：Ｃｏｎｓｔａｎｔ Ｌｉｎｅａｒ Ｖｅｌｏｃｉｔｙ)方式と、等角速度(ＣＡＶ：Ｃｏｎｓｔａｎｔ Ａｎｇｕｌａｒ Ｖｅｌｏｃｉｔｙ)方式とに区分され、一般的には、低倍速ではＣＬＶ方式を使用し、高倍速ではＣＡＶ方式を使用する。ＣＬＶ方式は、スピンドルモータの速度を、最内周では速く制御し、最外周では遅く制御するもので、最内周と最外周の周波数特性が同様である。一方、ＣＡＶ方式は、スピンドルモータの速度を、ディスクのどの部位をアクセスしても速度一定で回転させるもので、最内周と最外周の周波数が２.４倍の差を持つ。
【０００４】
図１は従来のウォブル信号再生装置を示すブロック図、図２は図１のウォブル信号再生過程を示す概念図である。
図１に示すように、ディスク上のＡ、Ｂ、Ｃ、Ｄで測定されたウォブル信号に対応する光量は、加算器１１、１３でＡとＤ及びＢとＣが各々加算され、図２A、Bに示すように、同位相のＲＦ信号及び１８０゜位相差のウォブル信号を持つＡ+Ｄ信号及びＢ+Ｃ信号を出力する。Ａ+Ｄ信号及びＢ+Ｃ信号は、ウォブル信号を通過させる程度のカットオフ(Ｃｕｔ-Ｏｆｆ)周波数を持つハイパスフィルタ(ＨＰＦ)２１、２３によってフィルターリングされ、ＤＣオフセット(ｏｆｆｓｅｔ)を除去する。
【０００５】
この後、自動ゲインコントローラー(ＡＧＣ)３１、３３では、ＲＦ信号を一定振幅にすることにより、ウォブル信号によるＲＦ信号の漏れを防止する。
減算器４１では、ゲイン調整されたＡ+Ｄ信号及びＢ+Ｃ信号を減算して、図２Cに示すように、ウォブル信号を出力する。このウォブル信号は、狭帯域のバンドパスフィルタ(ＢＰＦ)４５によりＳ/Ｎの高いウォブル信号を検出し、自動ゲインコントローラー(ＡＧＣ)４７によりゲイン増幅させた後、比較器４９によりウォブル信号を量子化し、ウォブルクロック信号を出力する。
【０００６】
前述のような従来のウォブル信号再生装置は、バンドパスフィルタ４５の中心周波数をアクティブＲＣフィルタで構成し、倍速の変化に従ってシステム制御部の制御によりバンドパスフィルタ４５の中心周波数を可変させる。このようなバンドパスフィルタの制御方式は、速度が変化する毎にシステム制御部がこれを制御しなければならないという問題点を持つ。また、ディスク再生速度の高速化に伴ってＣＡＶ方式で再生する場合、システム制御部のアクセス制限によってバンドパスフィルタの通過帯域が逸脱するという問題点を持つ。このため、ウォブル信号のＳ/Ｎ低減や、ウォブルクロック信号のジッタ増加などの原因になる。
【発明の開示】
【発明が解決しようとする課題】
【０００７】
本発明は、前記問題点に鑑みてなされたもので、その目的は、ディスク再生速度の高速化に伴ってＣＡＶ方式で再生する場合にも、効果的にウォブル信号を再生できるウォブル信号再生装置を提供することにある。
【課題を解決するための手段】
【０００８】
前記目的を達成するために、本発明に係るウォブル再生装置は、光ディスクからピックアップされた信号を用いてプッシュプル(Ｐｕｓｈ-ｐｕｌｌ)信号を出力する演算器と、前記プッシュプル信号を、第１の制御信号によってバンドパスフィルターリングし、第２の制御信号によってローパスフィルターリングして、ウォブル信号を出力するウォブルＢＰＦ(Ｂａｎｄ Ｐａｓｓ Ｆｉｌｔｅｒ)部と、前記ウォブル信号に基づき、チャネルクロック信号を発生するウォブルＰＬＬ(Ｐｈａｓｅ Ｌｏｃｋ Ｌｏｏｐ)部とを含む。
【０００９】
ここで、前記第１の制御信号及び第２の制御信号は、前記チャネルクロック信号に対応し、前記ウォブルＢＰＦ部は、前記第１の制御信号によって可変された中心周波数でバンドパスフィルターリングし、前記第２の制御信号によって可変されたカットオフ周波数でローパスフィルターリングする。
【００１０】
一方、前記ウォブルＢＰＦ部は、前記第１の制御信号をスイッチング周波数(ｆｓｗ)とし、前記スイッチング周波数(ｆｓｗ)によって前記中心周波数を可変させて、バンドパスフィルターリングするスイッチキャパシタフィルタ(Ｓｗｉｔｃｈｅｄ Ｃａｐａｃｉｔｏｒ Ｆｉｌｔｅｒ：ＳＣＦ)を持つバンドパスフィルタと、前記第２の制御信号を制御電圧信号(Ｖｃｔｒｌ)とし、前記制御電圧信号(Ｖｃｔｒｌ)によって前記カットオフ周波数を可変させて、ローパスフィルターリングするｇｍ-Ｃローパスフィルタを持つスムージングフィルタとを含む。
【００１１】
また、前記ウォブルＰＬＬ部は、前記ウォブル信号に対応するウォブルクロック信号と前記チャネルクロック信号とが、所定倍分周されたクロック信号間の位相差に対応する信号を出力する位相検波器と、前記位相検波器の出力信号をローパスフィルターリングするローパスフィルタと、前記ローパスフィルターリングした信号によって発振周波数が制御され、前記チャネルクロック信号を出力する電圧制御発振器とを含む。
【００１２】
ここで、前記第１の制御信号は、前記電圧制御発振器の出力信号に基づいて発生し、前記第２の制御信号は、前記電圧制御発振器の入力信号に基づいて発生する。
また、前記ウォブルＢＰＦ部から出力される前記ウォブル信号のゲインを増幅させるための自動ゲインコントローラーと、前記自動ゲインコントローラーの出力信号を量子化し、ウォブルクロック信号を出力する比較器とを更に含む。
【００１３】
前記目的を達成するために、本発明に係る他のウォブル信号再生装置は、光ディスクをウォブリングして、ピックアップされた信号を用いてプッシュプル信号を出力する演算器と、前記プッシュプル信号を、第１の制御信号によってバンドパスフィルターリングし、第２の制御信号によってローパスフィルターリングして、ウォブル信号を出力するウォブルＢＰＦ部と、前記ウォブル信号に基づき、チャネルクロック信号を発生するウォブルＰＬＬ部と、前記チャネルクロック信号に所定倍比例するクロック信号を発生し、前記所定倍のクロック信号に対応する前記第１の制御信号を発生する第１の制御信号発生部と、前記チャネルクロック信号に対応する前記第２の制御信号を発生する第２の制御信号発生部とを含む。
【００１４】
ここで、前記ウォブルＢＰＦ部は、前記第１の制御信号をスイッチング周波数(ｆｓｗ)とし、前記第１の制御信号によって前記中心周波数を可変させて、バンドパスフィルターリングするスイッチキャパシタフィルタ(ＳＣＦ)を持つバンドパスフィルタと、前記第２の制御信号を制御電圧信号(Ｖｃｔｒｌ)とし、前記第２の制御信号によって前記カットオフ周波数を可変させて、ローパスフィルターリングするｇｍ-Ｃローパスフィルタを持つスムージングフィルタと含む。
【００１５】
また、前記ウォブルＰＬＬ部は、前記ウォブル信号に対応するウォブルクロック信号と前記チャネルクロック信号とが、所定倍分周されたクロック信号間の位相差に対応する信号を出力する位相検波器と、前記位相検波器の出力信号をローパスフィルターリングするローパスフィルタと、前記ローパスフィルターリングした信号によって発振周波数を制御して前記チャネルクロック信号を出力する電圧制御発振器とを含み、前記第１の制御信号は、前記電圧制御発振器の出力信号に基づいて発生し、前記第２の制御信号は、前記電圧制御発振器の入力信号に基づいて発生する。
【００１６】
また、前記ウォブルＢＰＦ部から出力される前記ウォブル信号のゲインを増幅させるための自動ゲインコントローラーと、前記自動ゲインコントローラーの出力信号を量子化し、ウォブルクロック信号を出力する比較器とを更に含む。
【００１７】
前記目的を達成するために、本発明に係るウォブル信号再生方法は、光ディスクからピックアップされた信号を用いてプッシュプル信号を出力するステップと、第１の制御信号によって前記プッシュプル信号をバンドパスフィルターリングするステップと、第２の制御信号によって前記バンドパスフィルターリングしたプッシュプル信号をローパスフィルターリングしてウォブル信号を出力するステップと、前記ウォブル信号に基づいてチャネルクロック信号を発生するステップとを含み、前記第１及び第２の制御信号は、前記チャネルクロック信号に対応する。
【００１８】
前記第１の制御信号のスイッチング周波数によって中心周波数を可変させるステップと、前記可変された中心周波数でバンドパスフィルターリングするステップと、前記第２の制御信号の制御電圧信号によってカットオフ周波数を可変させるステップと、前記可変されたカットオフ周波数でローパスフィルターリングするステップとを更に含む。
【００１９】
また、前記チャネルクロック信号を生成するステップは、前記ウォブル信号に対応するウォブルクロック信号と前記チャネルクロック信号とが、所定倍分周されたクロック信号間の位相差に対応する信号を出力するステップと、前記出力信号をローパスフィルターリングするステップと、前記ローパスフィルターリングした出力信号によって制御される発振周波数で前記チャネルクロック信号を出力し、前記出力信号によって前記第１の制御信号を生成し、前記ローパスフィルターリングした出力信号によって前記第２の制御信号を生成するステップとを更に含む。
【００２０】
ここで、前記ウォブル信号のゲインを増幅させるステップと、前記増幅されたゲインを持つ前記ウォブル信号を量子化し、ウォブルクロック信号を出力するステップとを更に含む。
【００２１】
前記目的を達成するために、本発明に係るウォブル信号再生方法は、光ディスクからピックアップされた信号を用いてプッシュプル信号を出力するステップと、第１の制御信号によって前記プッシュプル信号をバンドパスフィルターリングするステップと、第２の制御信号によって前記バンドパスフィルターリングしたプッシュプル信号をローパスフィルターリングするステップと、前記ウォブル信号を出力するステップと、前記ウォブル信号に基づいてチャネルクロック信号を発生するステップと、前記チャネルクロック信号に所定倍比例するクロック信号を生成するステップと、前記チャネルクロック信号に比例する前記クロック信号に対応する前記第１の制御信号を生成するステップと、前記チャネルクロック信号に対応する前記第２の制御信号を生成するステップとを含む。
【００２２】
ここで、前記バンドパスフィルターリングするステップは、前記第１の制御信号のスイッチング周波数によって中心周波数を可変させるステップと、前記可変された中心周波数でバンドパスフィルターリングするステップと、前記第２の制御信号の制御電圧信号によってカットオフ周波数を可変させるステップと、前記可変されたカットオフ周波数でローパスフィルターリングするステップとを更に含む。
【００２３】
一方、前記チャネルクロック信号を生成するステップは、前記ウォブル信号に対応するウォブルクロック信号と前記チャネルクロック信号とが、所定倍分周されたクロック信号間の位相差に対応する信号を出力するステップと、前記出力信号をローパスフィルターリングするステップと、前記ローパスフィルターリングした出力信号によって制御される発振周波数で前記チャネルクロック信号を出力し、前記チャネルクロック信号に比例する前記クロック信号に対応する前記第１の制御信号を生成し、前記チャネルクロック信号に対応する前記第２の制御信号を生成するステップとを更に含む。
【００２４】
また、前記ウォブル信号のゲインを増幅させるステップと、前記増幅されたゲインを持つ前記ウォブル信号を量子化するステップと、前記ウォブルクロック信号を出力するステップとを更に含む。
【発明の効果】
【００２５】
本発明によれば、ウォブルＰＬＬ回路のチャネルクロック信号に対応して可変する中心周波数を持つバンドパスフィルタ(ＳＣＦ)を具現し、バンドパスフィルターリングした信号の歪みを補償するために、チャネルクロック信号に対応して可変するカットオフ周波数を持つスムージングフィルタ(ｇｍ-ＣＬＦＨ)を具現することにより、ＣＬＶ方式は勿論、スピンドルモータを速度一定で回転するＣＡＶ方式でも、ウォブル信号を正確に再生できる。
【００２６】
また、従来の光記録再生装置に具備されたウォブルＰＬＬ回路を用いて、バンドパスフィルタのスイッチキャパシタフィルタ(ＳＣＦ)と、スムージングフィルタのｇｍ-Ｃローパスフィルタとの制御信号を発生することにより、 効果的にシステムを具現できる。
【発明を実施するための最良の形態】
【００２７】
以下、図面に基づき、本発明の好適な実施形態を詳細に説明する。
図３は本発明に係る光ディスクに記録されたウォブル信号を再生するウォブル信号再生装置を示す概略ブロック図である。
【００２８】
光記録再生装置は、情報信号の記録再生用光源から出力されたレーザ光でディスクの記録面に光スポットを形成する。ディスクの記録面のウォブル信号に対応する反射光は受光素子に受光され、受光素子は受光される光スポットをＡ、Ｂ、Ｃ、Ｄに分けて光量を測定して出力する。このように、ディスクのＡ、Ｂ、Ｃ、Ｄで測定されたウォブル信号に対応する光量を用いて、ウォブル信号を再生する。
【００２９】
ウォブル信号再生装置は、ディスク上のＡ、Ｂ、Ｃ、Ｄで測定された光量を、ＡとＤ及びＢとＣを各々加算する加算器３１１、３１３と、(Ａ+Ｄ)信号及び(Ｂ+Ｃ)信号に対してＤＣオフセットを除去するハイパスフィルタ(ＨＰＦ)３２１、３２３と、(Ａ+Ｄ)信号及び(Ｂ+Ｃ)信号に含まれたＲＦ信号を一定振幅にする自動ゲインコントローラー(ＡＧＣ)３３１、３３３と、ゲイン調整された(Ａ+Ｄ)信号及び(Ｂ+Ｃ)信号を減算して、プッシュプル信号の(Ａ+Ｄ)-(Ｂ+Ｃ)を出力する減算器３４１とを持つ。
【００３０】
ウォブルＢＰＦ部３５０は、スイッチキャパシタフィルタ(ＳＣＦ)を使用する中心周波数を可変させてフィルターリングするバンドパスフィルタと、スイッチキャパシタフィルタの特性によってトラックアンドホールド(Ｔｒａｃｋ-ａｎｄ-Ｈｏｌｄ)形態で出力される信号を、ｇｍ-Ｃローパスフィルタを用いて前記中心周波数と連動するようにカットオフ周波数を可変させてフィルターリングするスムージングフィルタとを有する。
【００３１】
スイッチキャパシタフィルタ(ＳＣＦ)とｇｍ-Ｃローパスフィルタによりフィルターリングされたウォブル信号は、自動ゲインコントローラー(ＡＧＣ)３６１から一定振幅に増幅され、比較器３７１によりウォブルクロック信号に出力される。
【００３２】
ウォブルＰＬＬ部３８０は、比較器３７１から出力されるウォブルクロック信号を用いて、ウォブルクロック信号と同期されたチャネルクロック信号を出力する。ウォブルＰＬＬ部３８０から出力されるチャネルクロック信号に基づき、バンドパスフィルタ(ＳＣＦ)の中心周波数を制御するスイッチング周波数(ｆｓｗ)と、中心周波数と連動するようにスムージングフィルタ(ｇｍ-Ｃ ＬＰＦ)のカットオフ周波数を制御する制御電圧(Ｖｃｔｒｌ)とを発生する。ウォブルＰＬＬ部３８０により提供されるスイッチング周波数(ｆｓｗ)(以下では、“制御周波数”という)と制御電圧(Ｖｃｔｒｌ)についての詳細は、後述する。
【００３３】
従って、最内周と最外周の周波数の特性が同様なＣＬＶ方式は勿論、最内周と最外周の周波数の特性が異なるＣＡＶ方式でも、ウォブル信号を正確に検出できる。
図４は本発明に係るウォブル再生装置を示す詳細ブロック図であり、同図に基づいて本発明をより詳細に説明する。
【００３４】
同図に示すように、本発明に係るウォブル再生装置は、入力されるプッシュプル信号の(Ａ+Ｄ)-(Ｂ+Ｃ)に適応するように中心周波数を可変させてフィルターリングするウォブルＢＰＦ部３５０と、ウォブルＢＰＦ部３５０から出力されたウォブル信号に対応するウォブルクロック信号に同期されたチャネルクロック信号(ＣＬＫ)を出力するウォブルＰＬＬ部３８０と、ウォブルＰＬＬ部３８０のチャネルクロック信号に基づき、制御周波数(ｆｓｗ)及び制御電圧(Ｖｃｔｒｌ)を発生する制御周波数発生部３９１と制御電圧発生部３９３とを有する。
【００３５】
まず、ウォブルＰＬＬ部３８０は、位相検波器(ＰＤ：Ｐｈａｓｅ ｄｅｔｅｃｔｏｒ)３８１と、ローパスフィルタ３８３と、電圧制御発振器(ｖｏｌｔａｇｅ ｃｏｎｔｒｏｌｌｅｄ ｏｓｃｉｌｌａｔｏｒ：ＶＣＯ)３８５と、分周器３８７とを有する。位相検波器(ＰＤ)３８１は、入力されるウォブルクロック信号と、分周器３８７で分周されたチャネルクロック信号との位相差を求め、位相差に対応する信号を出力する。ローパスフィルタ３８３は、位相検波器３８１の出力信号をローパスフィルターリングして電圧制御発振器３８５に入力され、入力された信号は電圧制御発振器３８５の発振周波数を制御する。これにより、ウォブルクロック信号に同期されたチャネルクロック信号を出力する。
【００３６】
ここで、電圧制御発振器３８５の出力信号及び入力信号は、制御周波数発生部３９１及び制御電圧発生部３９３で所定信号処理されて、ウォブルＢＰＦ部３５０の制御信号に供給される。
【００３７】
制御周波数発生部３９１は、電圧制御発振器３８５の出力信号のチャネルクロック信号の周波数に対して、所定倍比例するクロック信号を発生することにより、ウォブルＢＰＦ部３５０内のスイッチキャパシタフィルタ(ＳＣＦ)の制御周波数(ｆｓｗ)として提供する。例えば、ＤＶＤ-Ｒ/ＲＷ及びＤＶＤ-ＲＡＭにおけるウォブルクロック信号の周波数と、チャネルクロック信号の周波数とは、１:１８６であるため、電圧制御発振器３８５から出力されるチャネルクロック信号をスイッチキャパシタフィルタ(ＳＣＦ)で処理できる周波数に下げて入力すべきである。従って、スイッチキャパシタフィルタ(ＳＣＦ)は、チャネルクロック信号の変化に応じて可変された中心周波数を有する。
【００３８】
制御電圧発生部３９３は、電圧制御発振器３８５の入力信号である所定の電圧に基づき、ウォブルＢＰＦ部３５０内のｇｍ-Ｃローパスフィルタの制御電圧(Ｖｃｒｔｌ)を発生する。即ち、制御電圧(Ｖｃｒｔｌ)によりｇｍ-Ｃローパスフィルタのカットオフ周波数を可変させる。
【００３９】
例えば、図５A〜Cに示すように、最内周と最外周に対する電圧制御発振器３８５の入力電圧(Ｖｃｔｒｌ)と、それに伴う発振周波数(Ｆｖｃｏ)とが、図５Aに示すような場合を仮定する。これに対応して、ｇｍ-Ｃローパスフィルタのカットオフ周波数(ｆ１〜ｆ２)を図５Aの入力電圧(Ｖ１〜Ｖ２)に対応して設計した場合、制御電圧発生部３９３は電圧制御発振器３８５の入力電圧(Ｖ１〜Ｖ２)をｇｍ-Ｃローパスフィルタの制御電圧に入力する。一方、図５Cに示すように、入力電圧(Ｖ１〜Ｖ２)は、カットオフ周波数(ｆ１〜ｆ２)と互いに比例関係だけ成立し、図５Aの入力電圧(Ｖ１〜Ｖ２)と一致しない場合、制御電圧発生部３９３は入力電圧(Ｖ１〜Ｖ２)を調整して所望のカットオフ周波数(ｆ１〜ｆ２)を得るようにする。
【００４０】
ウォブルＢＰＦ部３５０は、バンドパスフィルタ(Ｂａｎｄ Ｐａｓｓ Ｆｉｌｔｅｒ)３５１と、スムージングフィルタ(Ｓｍｏｏｔｈｉｎｇ Ｆｉｌｔｅｒ)３５３とを含む。
バンドパスフィルタ３５１は、ウォブルＰＬＬ部３８０から出力されるチャネルクロック信号(ＣＬＫ)に比例する通過帯域を持つフィルタであって、スイッチキャパシタフィルタ(Ｓｗｉｔｃｈｅｄ Ｃａｐａｃｉｔｏｒ Ｆｉｌｔｅｒ：ＳＣＦ)で具現される。即ち、バンドパスフィルタ３５１の中心周波数(ｆ０)は、制御周波数(ｆｓｗ)とキャパシタＣ１、Ｃ２により、次の式のような関係を持つ。
【００４１】
【数１】
2005209334.tif 000003
数式のように、スイッチキャパシタフィルタ(ＳＣＦ)の中心周波数(ｆ０)は、制御周波数(ｆｓｗ)に比例する。よって、ＣＡＶ方式のように、再生されたウォブル信号の周波数が変化する場合、変換したウォブル信号の周波数に対応するチャネルクロック信号に比例して中心周波数(ｆ０)を変換させることにより、入力信号に適応的な通過帯域を持つことになる。
【００４２】
スイッチキャパシタフィルタ(ＳＣＦ)から出力されるウォブル信号は、制御周波数(ｆｓｗ)によりトラックアンドホールド形態の信号に出力される。このようなトラックアンドホールド形態の信号をスムーズに処理するために、スムージングフィルタ３５３を具現する。スムージングフィルタ３５３は、固定のカットオフ周波数(ｆＣ)を持つローパスフィルタを用いる場合、ＣＡＶ方式のように、最内周と最外周の位相差に適応する補償ができないという問題点を改善するために、所定の制御電圧(Ｖｃｒｔｌ)によってカットオフ周波数(ｆＣ)が変化するｇｍ-Ｃローパスフィルタで具現する(ｇｍは、入力電圧に対する出力電流の相互コンダクタンスである)。
【００４３】
即ち、ｇｍ-Ｃローパスフィルタで具現されるスムージングフィルタ３５３は、ウォブルＰＬＬ部３８０から出力されるチャネルクロック信号に対応する制御電圧(Ｖｃｒｔｌ)によるカットオフ周波数(ｆＣ)を持つ。従って、カットオフ周波数(ｆＣ)は中心周波数(ｆ０)と連動する。
【００４４】
図６は本発明に係る一例であって、スイッチキャパシタフィルタ(ＳＣＦ)で具現されるバンドパスフィルタ３５１を示す詳細回路図である。同図に示すように、キャパシタＣ１、Ｃ２の比率(数１を参照)によりバンドパスフィルタの中心周波数(ｆ０)を決定する。
【００４５】
バンドパスフィルタ３５１は、図３の減算器３４１からＶｉ端子を介してプッシュプル信号 (Ａ+Ｄ)-(Ｂ+Ｃ)の入力を受けて、中心周波数を可変させてフィルターリングし、Ｖｏ端子を介して出力する。
【００４６】
バンドパスフィルタ３５１の中心周波数(ｆ０)は、制御周波数発生部３９１から入力された制御周波数(ｆｓｗ)に従ってスイッチング動作を行うスイッチ(ｐｈｙ１、ｐｈｙ２)と、キャパシタＣ１、Ｃ２とにより、数１で決定される。
【００４７】
一般的に、ＤＶＤ-Ｒ/ＲＷ及びＤＶＤ-ＲＡＭにおけるウォブルクロック信号の周波数とチャネルクロック信号の周波数との比は１:１８６であり、ＣＤ-Ｒ/ＲＷにおけるウォブルクロック信号の周波数とチャネルクロック信号の周波数との比は１:１９６である。従って、ディスクの種類を制御信号(ＤＩＳＫＳＥＬ)によってマルチプレクサ(ｍｕｘ２)を制御し、ＣＤ及びＤＶＤの種類に対応するキャパシタを選択することにより、中心周波数(ｆ０)を決定することができる。
【００４８】
また、制御信号Ｑによってマルチプレクサ(ｍｕｘ１)を制御し、キャパシタＣ３、Ｃ４を選択することにより、バンドパスフィルタの通過帯域幅を可変させることができる。
ここで、バンドパスフィルタ３５１の外部に具備された感知部(図示せず)は、ディスクの種類を感知し、感知されたディスクの種類によって制御信号(ＤＩＳＫＳＥＬ)と制御信号(Ｑ)をバンドパスフィルタ３５１に入力する。これにより、マルチプレクサ(ｍｕｘ１)及びマルチプレクサ(ｍｕｘ２)を制御して、ディスクの種類に対応するキャパシタを選択する。
【００４９】
図６に示すスイッチキャパシタフィルタ(ＳＣＦ)によりフィルターリングしたウォブル信号は、トラックアンドホールド形態で出力され、多様に設計可能なｇｍ-Ｃローパスフィルタであるスムージングフィルタ３５３により中心周波数と連動するカットオフ周波数(ｆＣ)でウォブル信号をスムーズにフィルターリングする。
【００５０】
従って、ＣＬＶ方式では、ウォブル信号の中心周波数は常に一定なので、スムージングフィルタも一定のカットオフ周波数を持つことになり、ＣＡＶ方式では、内周と外部でのウォブル信号の中心周波数が２.４倍の差を持つので、スムージングフィルタのカットオフ周波数(ｆＣ)も、中心周波数の差だけ連動することになる。
【００５１】
つまり、ＣＬＶ方式では勿論、スピンドルモータを速度一定で回転するＣＡＶ方式でも、效果的にウォブル信号を再生できる。
以上では、本発明の好適な実施形態について図示し説明したが、本発明はこれに限定されるものではなく、本発明の要旨から逸脱しない範囲内で、この発明が属する技術分野における通常の知識を有した者であれば、誰もが多様に変形・実施でき、そのような変更は特許請求の範囲の記載の範囲内にあるべできある。
【産業上の利用可能性】
【００５２】
本発明は、記録可能な光ディスクに記録されているウォブル信号を再生するためのウォブル信号再生装置及び方法に適用される。
【図面の簡単な説明】
【００５３】
【図１】従来のウォブル信号再生装置を示す概略ブロック図である。
【図２】図１のウォブル信号再生過程を示す概念図である。
【図３】本発明に係るウォブル信号再生装置を示す概略ブロック図である。
【図４】図３のウォブル信号再生装置を示す詳細ブロック図である。
【図５】図３に示す制御電圧発生部３９３の動作を説明するための図である。
【図６】図４に示すバンドパスフィルタ３５１の一例示図である。
【符号の説明】
【００５４】
３５０  ウォブルＢＰＦ部
３５１  バンドパスフィルタ(ＳＣＦ)
３５３  スムージングフィルタ(ｇｍ-ＣＬＰＦ)
３６１  自動ゲインコントローラー
３７１  比較器
３８０  ウォブルＰＬＬ部
３８１  位相検波器(ＰＤ)
３８３  ローパスフィルタ(ＬＰＦ)
３８５  電圧制御発振器(ＶＣＯ)
３８７  分周器(１/Ｎ)
【図１】
2005209334.tif 000004
【図２】
2005209334.tif 000005
【図３】
2005209334.tif 000006
【図４】
2005209334.tif 000007
【図５】
2005209334.tif 000008
【図６】
2005209334.tif 000009